(57)【要約】【課題】簡潔な形状でありながら、従来のスペーサを用いることなく、額縁とサッシが合わされる部分の納まり調整寸法を吸収し、建物の開口部への取付けのためのビス等の取付具の頭を隠すためのキャップを必要とせず、施工性のよい額縁を提供すること。【解決手段】一辺部１１１と他辺部１１２とから略Ｌ字形をなす額縁本体１１の一辺部１１１の中途に、前記他辺部１１２と略平行にこの他辺部１１２よりも長い突設片１２が突設され、突設片１２と他辺部１１２とで凹溝が形成されている。【選択図】        図１
2004156350.tif 000002
【特許請求の範囲】
【請求項１】
一辺部と他辺部とにより略Ｌ字形をなす額縁本体の一辺部に、他辺部と同方向であってこの他辺部と略平行に他辺部よりも長い突設片が突設され、突設片と他辺部とで凹溝が形成されていることを特徴とする額縁。
【請求項２】
突設片が額縁本体と一体に突設されていることを特徴とする請求項１記載の額縁。
【請求項３】
請求項１又は２記載の額縁の突設片と他辺部とで形成された凹溝に当て板を差し込み、この当て板を差し込んだ額縁を、建物の開口部に押し当てて一辺部とサッシの端部とをビス、釘等の固定具で固定し、前記当て板にビス、釘等を打ち込んで突設片を開口部の桟に固定することを特徴とする額縁の施工方法。
【発明の詳細な説明】
【０００１】
【発明の属する技術分野】
この発明は、建物の窓や出入口などの開口部に取り付けられる額縁とその施工方法に関する。
【０００２】
【従来の技術】
建物の窓部等の開口部に取り付けられるための額縁としては、ビス等の固定具が目立たなくて見栄えがよく、施工性のよいことが求められる。
例えば、窓額縁として、サッシの内側端部に係合されるサッシ側係合部及び窓枠の内周に沿って内壁側に延伸される嵌合部を有する第１部材と、この第１部材の嵌合部に離脱可能に嵌合される先端部及び内壁との当接面を有する第２部材とを備え、第１部材が、サッシのスペーサ装着部に係合されて第１部材の位置決めをなす位置決め部と、内面に係止部が形成されている嵌合凹部を有する嵌合部とを有するものが提案されている。（例えば、特許文献１参照。）。
【０００３】
【特許文献１】
特開平１１−１４８２７４号公報（特許請求の範囲の欄他）
【０００４】
【発明が解決しようとする課題】
上記の窓額縁においては、第１部材が装着されたサッシを窓枠に取り付け、次いで第２部材をこの第１部材に嵌合させて、第２部材の後部の内壁への当接させるだけで窓額縁が完成すると同時に、窓額縁の窓枠への取付けがなされる。そのため、接着剤やねじ止めによることなく取り付けができ、窓額縁の施工が簡素化されるとしている。
【０００５】
しかし、この窓額縁は、サッシの内側端部に係合されるサッシ側係合部及び窓枠の内周に沿って内壁側に延伸される嵌合部を有する第１部材と、この第１部材の嵌合部に離脱可能に嵌合される先端部及び内壁との当接面を有する第２部材との二つの部材を用いている。そのため、部材の保管や搬送が煩瑣となり、費用が嵩むものとなり、取り付けに当たっては、第１部材をサッシの内側端部に係合させる手間と、次いで第２部材を第１部材の嵌合部に嵌合させる手間の二度の手間がかかり、施工に手間がかかるものであった。
【０００６】
さらに、第１部材は、サッシのスペーサ装着部に係合されて従来のスペーサとしての機能をはたす第１部材の位置決めをなす位置決め部と、内面に係止部が形成されている嵌合凹部を有する、該位置決め部の内側端から一体的に内壁側に向けて形成されている嵌合部とを有しているので、その形状は複雑なものとなり、かつ、高い寸法精度が要求されるので、その製造には細心の注意が必要となり費用が嵩むものとなっている。
【０００７】
この発明は、上記の点を解消しようとするものであり、簡素な形状でありながら、従来のスペーサを用いることなく、額縁とサッシが合わされる部分の納まり調整寸法を吸収し、開口部への取付けのためのビス等の取付具の頭を隠すためのキャップを必要とせず、施工性のよい額縁とその施工方法を提供することを目的とする。
【０００８】
【課題を解決するための手段】
請求項１記載の額縁は、一辺部と他辺部とにより略Ｌ字形をなす額縁本体の一辺部に、他辺部と同方向であってこの他辺部と略平行に他辺部よりも長い突設片が突設され、突設片と他辺部とで凹溝が形成されていることを特徴としている。
【０００９】
請求項２記載の額縁は、請求項１記載の額縁において、突設片が額縁本体と一体に突設されていることを特徴としている。
【００１０】
請求項３記載の額縁の施工方法は、請求項１又は２記載の額縁の突設片と他辺部とで形成された凹溝に当て板を差し込み、この当て板を差し込んだ額縁を、建物の開口部に押し当てて一辺部とサッシの端部とをビス、釘等の固定具で固定し、前記当て板にビス、釘等を打ち込んで突設片を開口部の桟に固定することを特徴としている。
【００１１】
（作用）
この発明の額縁とその施工方法にあっては、額縁が、一辺部と他辺部とにより略Ｌ字形をなす額縁本体の一辺部に、他辺部と同方向であってこの他辺部と略平行に他辺部よりも長い突設片が突設されているので、この額縁の突設片を建物の開口部の桟に押し当てて調整することができ、スペーサを使用することなく、額縁とサッシが合わされる部分の納まり調整寸法を吸収することができる。
【００１２】
また、額縁は、突設片と他辺部とで形成された凹溝に当て板を差し込み、この当て板にビス、釘等を打ち込むことにより、突設片が建物の開口部の桟に固定されるので、額縁の一辺部や他辺部の額縁本体には、建物の開口部に固定するためのビス、釘等は存在しない。したがって、ビス、釘等は、当て板部分に存在し目立たないので、ビス、釘等の頭を隠すためのキャップ等の部品を特に必要としない。
【００１３】
【発明の実施の形態】
この発明の実施の形態を図面の実施例に基づいて説明する。
【００１４】
図１は、この発明の額縁の実施例が配設された建物の開口部の断面図、図２は、この発明の額縁の実施例を建物の開口部に施工する施工方法の概要を示す斜視図、図３は、図２に示す施工方法において、額縁を建物の開口部に取り付けて固定する手順を示すものであって、（イ）は、額縁に当て板を差し込んだ状態を示す部分断面図、（ロ）は、額縁を建物の開口部に取り付けた状態を示す部分断面図、（ハ）は、額縁を開口部に取り付けて固定した状態を示す部分断面図である。
【００１５】
図１〜図３において、１は額縁、２は建物の開口部、３はサッシ、４は折り戸、５は当て板、６は固定具、７はねじ又は釘である。
【００１６】
額縁１は、図１に示すように、一辺部１１１と他辺部１１２とにより略Ｌ字形をなす額縁本体１１と、この額縁本体１１の中途に突設された突設片１２とからなる。
【００１７】
突設片１２は、他辺部１１２と同方向側に突設され、この他辺部１１２と略平行にして他辺部１１２より長くなるように突設され、突設片１２と他辺部１１２とで凹溝１３が形成されている。
【００１８】
突設片１２は、接着や釘打ち等によって額縁本体１１の一辺部１１１に固定されることによって設けられていてもよいが、額縁本体１１と一体に形成されているのが好ましい。
【００１９】
突設片１２が額縁本体１１と一体に形成された額縁１としては、例えばプラスチックを原料として、略Ｌ字形に異形押出成形し、この長尺のプラスチック製又は低発泡プラスチック製の型材を所要長さに切断し、図２に示すような門形やロ形に組み立てて形成される。
【００２０】
なお、額縁１としては、異形押出成形方法以外の製造方法で製造してもよく、プラスチックや低発泡プラスチック以外の素材で製せられてもよい。
【００２１】
次に、額縁１の施工方法を、図１〜図３を参照して説明する。
【００２２】
先ず、額縁１の突設片１２と他辺部１１２とで形成される凹溝１３に当て板５を差し込む（図２（イ）参照）。
【００２３】
この当て板５を差し込んだ額縁１を、建物の開口部２に押し当てて一辺部１１１とサッシ３の端部３１とをビス、釘等の固定具６で固定する（図２（ロ）参照）。
【００２４】
次いで、当て板５にビス、釘等７を打ち込んで額縁１の突設片１２を開口部の桟２１に固定する。
【００２５】
こうして、額縁１は、建物の開口部に取り付けれてその施工が終了する。
この実施例では、建物の開口部２に折り戸４が設けられて出入口とされているが、折り戸４の代わりに別の引き戸、開き戸等のの別のドアであってもよい。
また、建物の開口部として出入口の代わりに窓用の開口部であってもよい。
【００２６】
（実施例の作用）
額縁１が、一辺部１１１と他辺部１１２とにより略Ｌ字形をなす額縁本体１１の一辺部１１１に、前記他辺部１１２と同方向であって、この他辺部１１２と略平行に他辺部１１２よりも長い突設片１３が突設され、突設片１２と他辺部１１２とで凹溝１３が形成されているので、この額縁１の突設片１２を建物の開口部２の桟２１に押し当てて調整することにより、額縁１とサッシ３が合わされる部分の納まり調整寸法を吸収することができる。
【００２７】
また、額縁１は、その一辺部１１１に突設した突設片１２が、ビス、釘等７により建物の開口部２の桟２１に固定されることにより、額縁１の一辺部１１１や他辺部１１２からなる額縁本体には、建物の開口部２に固定するためのビス、釘等を打ち込むことがなくて目立たないので、ビス、釘等の頭を隠すためのキャップ等の部品を特に必要としない。
【００２８】
【発明の効果】
この発明の額縁とその施工方法は、額縁が、一辺部と他辺部とにより略Ｌ字形をなす額縁本体の一辺部に、他辺部と同方向であってこの他辺部と略平行に他辺部よりも長い突設片が突設され、突設片と他辺部とで凹溝が形成されているので、この額縁の突設片を建物の開口部に押し当てて調整することにより、サッシを使用することなく、額縁とサッシが合わされる部分の納まり調整寸法を吸収することができる。
【００２９】
また、額縁は、その一辺部に突設した突設片を開口部の桟にビス、釘等を打ち込むことによって建物の開口部に固定されるので、額縁の一辺部や他辺部の額縁本体には、建物の開口部に固定するためのビス、釘等がなくて目立たないので、ビス、釘等の頭を隠すためのキャップ等の部品を特に必要とせず、その施工手間が省ける。
【図面の簡単な説明】
【図１】この発明の額縁の実施例が配設された建物の開口部の断面図である。
【図２】この発明の額縁の実施例を建物の開口部に施工する施工方法の概要を示す斜視図である。
【図３】図２に示す施工方法において、額縁を建物の開口部に取り付けて固定する手順を示すものであって、（イ）は、額縁に当て板を差し込んだ状態を示す部分断面図、（ロ）は、額縁を建物の開口部に取り付けた状態を示す部分断面図、（ハ）は、額縁を開口部に取り付けて固定した状態を示す部分断面図である。
【符号の説明】
１    額縁
１１    額縁本体
１１１    一辺部
１１２    他辺部
１２    突設部
１３    凹溝
２    建物の開口部
３    サッシ
４    折り戸
５    当て板
６    固定具
７    ビス又は釘
【図１】
2004156350.tif 000003
【図２】
2004156350.tif 000004
【図３】
2004156350.tif 000005